Podtech/llm-jp-corpus-v4-ja_patent huggingface dataset:
(57)【要約】【課題】この考案は、航空機用の屋外整備に使用する作業台が強風により移動しない為の効果的なストッパー対策を提供する。【解決手段】作業台（１）の下部に棒状ストッパー（２）を適当数設けた構造をしている。【選択図】図１
0003098867.tif 000002
【実用新案登録請求の範囲】
【請求項１】
作業台（１）の下部に棒状ストッパー（２）を適当数設けた構造を特徴とする航空機用作業台のストッパー。
【考案の詳細な説明】
【０００１】
【考案の属する技術分野】
本考案は航空機用の屋外整備作業に使用する作業台に関するものである。
【０００２】
【従来の技術】
従来の考案品は、作業台に２箇所及び４箇所ストッパーが付いているもので、夫々をジャッキアップして地面上に接触させて停止させていた。
【０００３】
【考案が解決しようとする課題】
従来のものは次の様な欠点があった。
イ、作業台自体が軽量の為に強風が吹くと転倒及び移動して航空機を損傷する。
ロ、作業台が大きく移動した時は元の位置に戻し配置することが大変である。
ハ、作業台のストッパー箇所が多いのでジャッキアップするのに手間がかかる。
ニ、ストッパーの接地部分の面が鋼製である為、強風の時はコンクリート地面上を滑るので具合が悪い。
これらの欠点を解決するために考案をした。
【０００４】
【考案を解決するための手段】
作業台（１）の下部に棒状ストッパー（２）を適当数設けた構造をしている。
【０００５】
【考案の実施の形態】
本考案は、作業台（１）の下部に設けた棒状ストッパー（２）は角形中空形状をしたゴムの材質でフレーム（５）に取付けられている。
ジャッキーハンドル（３）を上方に引き上げると回転軸（６）が回転し、アーム（４）を介して棒状ストッパー（２）が外パイプと内パイプがはめ込み式のガイド（７）によって真下に押し下げられて地面に接触し、作業台（１）を押し上げると同時に棒状ストッパー（２）は中空形状になっているのでつぶれて接地面積が大きくなり摩擦抵抗が増大する。又、棒状ストッパー（２）及びフレーム（５）はネジ等により上下する方法もある。
尚、棒状ストッパー（２）は今回（図１）は１箇所であるが、場合により適当数（２〜３箇所）設置することもある。
【０００６】
【考案の効果】
本考案を使用することによる効果は、棒状ストッパーはつぶれて接地面積が大きくなり摩擦抵抗の増大によりストッパーの効き目が向上する。
又、ストッパー設置箇所が少ないのでストッパーをかける手間が省ける。
【図面の簡単な説明】
【図１】本考案の斜視図
【図２】本考案のストッパー取付拡大側面図
【図３】本考案のガイド取付はめ込み式説明図
【符号の説明】
１　作業台
２　棒状ストッパー
３　ジャッキーハンドル
４　アーム
５　フレーム
６　回転軸
７　ガイド
【図１】
0003098867.tif 000003
【図２】
0003098867.tif 000004
【図３】
0003098867.tif 000005
【手続補正書】
【提出日】平成15年8月8日(2003.8.8)
【手続補正２】
【補正対象書類名】明細書
【補正対象項目名】実用新案登録請求の範囲
【補正方法】変更
【補正の内容】
【実用新案登録請求の範囲】
【請求項１】
作業台（１）の下部に取付けた、フレーム（５）に取付けられた棒状ストッパー（２）。
(57)【要約】　　　（修正有）【課題】キーボード入力を正確にかつ迅速に行うために、キーボードを見ず、正しい指使いで入力を行うタッチタイピングができ、それぞれの指の役割分担のキーを自然に覚えることができる、突起つきキーボードシートを提供する。【解決手段】ホームポジションにある、全ての中心である、ＦとＪの各キーに突起を設けると、左、右の人差指が正確に位置におくことができる。突起を設けた、ＦとＪを基準点にして、斜め、上、下、に一定の配列にある各キーに突起を設けると、ＦとＪに突起を設けたと同様の効果を得る。ホームポジションの各キーから離れた、よく使うキーに、例えば、Ｄｅｌｅｔｅ，Ｂａｃｋ，Ｓｐａｃｅ，Ｅｓｃの各キーに突起を設けると、その位置と距離感がつかめる。同時にその機能が覚えやすい。ＣｔｒＬ，ＡＬｔ，Ｄｅｌｅｔｅ，の各キーを赤色にすると、パソコンがフリーズした時、迷わず、操作でき、練習になる。【選択図】　図１
0003098868.tif 000002
【実用新案登録請求の範囲】
【請求項１】
パソコンのキーボードの現寸大のキーボードシートを作る。キーボードシートの全ての中心であるＦとＪの各キーに突起を設ける。そのＦ，Ｊ，の各キーを基準点として、一定の配列の他のキーに、順次突起を設けたキーボードシート。
【請求項２】
ホームポジションの各キーから離れて、良く使うキーに突起を設ける。
【請求項３】
ＣｔｒＬ，ＡＬｔ，Ｄｅｌｅｔｅ各キーを、赤色にする。
【考案の詳細な説明】
【０００１】
【考案の属する技術分野】
この考案は、キーボードシートのキーの全ての中心である、Ｆ，とＪの各キーに突起を設けて、そのＦ，とＪの各キーを基準点として、他のキーに突起を設けたキーに関するものである。
【０００２】
【従来の技術】
従来、パソコン文字入力、タッチタイピング練習用キーボードシートはあった。
【０００３】
【考案が解決しようとする課題】
これは次のような欠点があった。
（１）従来のキーボードシートは形状、各キーの位置を印刷してあるだけである。キーの位置が確認できない。
全ての中心のキーである、ホームポジションのＦ，Ｊにも突起がない。これは、タッチタイピング練習用キーボードシートとしては致命的、欠陥である。
（２）キーボードシートのホームポジションの各キーの基点から離れたキーで、よくつかうキーは印刷だけでは、位置の確認がしにくい。
本考案は、これらの欠点を除くために、なされたものである。
【０００４】
【課題を解決するための手段】
（１）キーボードシートのキーの中心である、ＦとＪのキーに突起を設ける。そのＦ，Ｊの各キーを基準点として、人差指の守備範囲にあり、そして斜に配列してある、Ｖ，Ｒ，４，Ｍ，Ｕ，７，の各キーに突起を設ける。
（２）ホームポジションのＡ，Ｓ，Ｄ，Ｋ，Ｌ，；の各キーに突起を設ける。
（３）ホームポジションにある、各キーの基点から、離れた、Ｅｓｃ，Ｄｅｌｅｔｅ，Ｂａｃｋ，Ｓｐａｃｅ，半角全角，Ｆ６，Ｆ７，Ｆ８，Ｆ９，Ｆ１０，各キーに突起を設ける。
（４）Ｗ，／め，各キーに突起を設ける。
（５）ＣｔｒＬ，ＡＬｔ，Ｄｅｌｅｔｅ，各キーを赤色をにする。
本考案は以上の構成よりなる突起つき、キーの、ある、キーボードシートである。
【０００５】
【考案の実施の形態】
以下、本考案の実施例について説明する。
（イ），キーボードシートのキーの中心である、ＦとＪの各キーに突起を設ける。そのＦ，とＪのキーを基準点にして、斜め、上、下、に配列してある、Ｖ，Ｒ，４，Ｍ，Ｕ，７，各キーに突起を設ける。
（ロ），ホームポジションにある、Ａ，Ｓ，Ｄ，Ｋ，Ｌ，；，各キー、突起を設ける。
（ハ），ホームポジションにある、突起つきキーから、離れている、Ｅｓｃ，Ｄｅｌｅｔｅ，Ｂａｃｋ，Ｓｐａｃｅ，半角全角，Ｆ６，Ｆ７，Ｆ８，Ｆ９，Ｆ１０，各キーに突起を設ける。
（ニ），Ｗ，／め，各キーに突起を設ける。
（ホ），ＣｔｒＬ，ＡＬｔ，Ｄｅｌｅｔｅ，の各キーを赤色にする。
本考案は以上のような構造で、これを使用するときは、右、左の手の指をそれぞれの指の役割分担の位置に置く。ホームポジションに左の人差指はＦ，に中指は、Ｄに薬指はＳに小指はＡに。
右の人差指はＪに、中指はＫに、薬指はＬに、小指は；において、スタートする。各突起つきキーの位置を確認し、隣と上、下の文字、役割を覚える。
【０００６】
【考案の効果】
このように、ホームポジションの突起つきキーにそれぞれの指をおき、斜に移動する時、突起のあるキーを確認しながら、その隣、上、下の文字を覚えることができる。
ホームポジションの突起つきキーから、離れた突起つき各キーを位置の確認と役割、距離感をつかめるし覚えることができる。
ＣｔｒＬ，ＡＬｔ，Ｄｅｌｅｔｅ，各キーが赤色だと、パソコンが固った時は操作しやすい。
【図面の簡単な説明】
【図１】本考案のキーボードシートの平面図
【図２】本考案の突起つきキーボードシートの平面図
【図３】突起つきキーボードシートの側面図
【符号の説明】
１キーボードシート本体、２突起つきキーボードシート本体、
３突起
【図１】
0003098868.tif 000003
【図２】
0003098868.tif 000004
【図３】
0003098868.tif 000005
【手続補正書】
【提出日】平成15年8月1日(2003.8.1)
【手続補正１】
【補正対象書類名】明細書
【補正対象項目名】実用新案登録請求の範囲
【補正方法】変更
【補正の内容】
【実用新案登録請求の範囲】
【請求項１】
キーボードシートにおいて，
（Ｉ）　パソコンのキーボードの現寸大のキーボードシートを作る。
（２）　ホームポジションの各キーに突起を設ける。
（３）　ホームキーのＦとＪの各キーを基準点にして，斜め下段上段数の段の各キーに突起を設ける。
以上のことを特徴とするキーボードシート。
【請求項２】
ホームポジションの各キーから離れて，良く使うキーに突起を設けた請求項Ｉ記載のキーボードシート。
【請求項３】
ＣｔｒＬ，ＡＬｔ，Ｄｅｌｅｔｅ，各キーを赤色にした請求項Ｉ又は２記載のキーボードシート。
(57)【要約】【課題】一人でお茶を飲むとき、きゅうすを洗う手間が省け、手軽にお茶を楽しむことができる。コンパクトなので持ち運びにも便利で、オフィスの引き出しのすみに入れておくことも可能である。ティーバックを使うよりも低コストで、自分好みのブレンドティーを楽しむことができる。以上ような、手軽なお茶の楽しみ方を提供する。【解決手段】枠の大きい茶こし（１）と引っかける部分（９）を設けたふた（７）つきの容器（８）をセットにしたことを特徴とする。【選択図】　図４
0003098841.tif 000002
【実用新案登録請求の範囲】
【請求項１】
茶こし器（イ）に収納ポット（ロ）蓋（ハ）をセットにした収納ポット付き茶こし器
【請求項２】
茶こし器（イ）の、枠部分を大きくして、網部分を細くし、上部につまみを付けた、請求項１の収納ポット付き茶こし器
【請求項３】
収納ポットの茶こし器（イ）を受けるための引っかける部分をつけた請求項１の収納ポット付きお茶こし器
【考案の詳細な説明】
【０００１】
【考案の属する技術分野】
この考案は、枠の部分を広くして、様々な大きさのカップのうえに直接セットしても安定した状態を保つことができるようにした茶こしと、それを水切れの良い状態にするように、引っかける部分を設けた収納ポットをセットにしたものである。
【０００２】
【従来の技術】
従来、お茶は急須でいれるものであるが、急須は形が複雑なため洗いずらく汚れがつきやすい。また、急須は多人数分をいれるのには便利であるが、一人分だけ入れる場合には大袈裟で面倒であると考える。
【０００３】
【考案が解決しようとする課題】
本考案は、その欠点を除くために考案されたもので、従来のお茶いれの方法を覆す、新しい発想からきた物である。
【０００４】
これを図面について説明すれば、茶こし（１）の枠（２）を大きくし、そこに収納ポットに入れる際に持ちやすいよう、ツマミ（４）を付ける。
使用方法としては、茶こし（１）をカップ（５）のうえに直接のせ、茶葉を入れお湯を注ぎお茶を抽出する。
収納ポットには、水切れを良くするために、茶こしを引っかる部分（９）を付ける。
【図面の簡単な説明】
【図１】本考案の斜視図である。
【図２】本考案の使用時の側面図である。
【図３】本考案の収納ポットの斜視図である。
【図４】本考案の収納時の側面図である。
【符号の説明】
１は枠の大きい茶こし器　２は茶こし器の枠　３は茶こし器の網　４は茶こし器のつまみ　５はカップ　６はお茶葉　７は収納容器のフタ　８は収納容器　９は茶こしをひっかける部分
【図１】
0003098841.tif 000003
【図２】
0003098841.tif 000004
【図３】
0003098841.tif 000005
【図４】
0003098841.tif 000006
(57)【要約】　　　（修正有）【課題】冬期に、二輪車の通勤、移動、また屋外で作業する暖房設備の無い特殊車両においても長時間の寒さに耐えられるようにする。【解決手段】座席内部に発熱体を装着した車両系の座席を提供する。又座席の内部に装着困難な物に対しては発熱体を座席上部に装着しても良い。【選択図】　図２
0003098846.tif 000002
【実用新案登録請求の範囲】
【請求項１】
座席内部に発熱体を装着した車両系の座席。
【請求項２】
座席上部に発熱体を装着した車両系の座席。
【考案の詳細な説明】
【０００１】
【考案の属する技術分野】
この考案は暖房設備を持たない特殊車両（ブルドーザー、フォークリフト）農作機械やキャビン（車内）が無い二輪自動車等の座席面を暖めることを目的とした考案である。
【０００２】
【従来の技術】
上記の様な冬期においては外気の冷たさに加え風雨等条件下での作業、運転はより過酷なものがある。特に寒冷地においては体温の低下で、体調不良、腰痛の原因にさえなっている。二輪車に至ってはサドルを暖める等のアイデアが開示されてある。（例えば実開平２−６１７９８号公報）
【０００３】
【考案が解決しようとする課題】
特殊車両の場合使用条件が異なる為、座席も簡易的な物が少なくなくプラスチックや座席上にゴムを張り付けた物など加工が困難な物がある。
【０００４】
【課題を解決するための手段】
本考案は上記の課題を解決する為に、座席内部に発熱体を装着した車両系の座席を提供する。又座席の内部に装着困難な物に対しては発熱体を座席上部に装着しても良い。
【０００５】
【考案の実施の形態】
以下、本考案に係わる形態の一例を実施例となる図面にて説明する。
図１は二輪スクーターの座席内部に放熱性、柔軟性、加工性に優れたアルミ箔にコードヒーターを用いサンドイッチ状に挟み込み小型化、プレート状にした発熱体を装着した座席を示している。なお、一定温度維持の為サーモスタットを使用すると良い。
【０００６】
発熱体は、コードヒーターが加工に適している為、アルミ箔（厚み０．０６ｍｍ）に溶着、一定温度維持の為サーモスタット取り付け後に一方のアルミ箔でサンドイッチ状に挟み込み接着した。
【０００７】
図２は加工困難な座席に対して図１（二輪スクーター）で使用した同等のプレート状のコードヒーターを、耐熱、防水、クッション性の高いカバーで覆い座席上部において使用する例を示している。
【０００８】
持ち運びや利便性を考え他の車両にも、使用できるようにリード線にオン、オフスイッチを設け電源を取り出し易いようヒューズ付カープラグ（車のシガライターより電源をとる）を先端に取り付けると良い。
【０００９】
二輪車と同様、座席内部に取り付け可能な車両は座席下よりリード線を通す穴を設け車体を通して通電する。オン、オフスイッチは運転者が操作しやすい様にハンドル付近、イグニッションキー辺りに取り付ける。その際、安全上ヒューズを取り付けると良い。（図示せず）
【００１０】
又、温度コントロールスイッチを取り付けることによって任意に温度が調節でき快適である。
【００１１】
座席面は防水性が高く耐熱性の物が望ましい。
【００１２】
本考案で記載した車両系とは、建設機械、（ブルドーザー、パワーショベル、等）フォークリフト、農耕作機械（田植え機、稲刈り機、耕耘機等）二輪車等運転席を設けたものをあげてある。
【００１３】
【考案の効果】以上説明のように、本考案によれば、小型化、プレート状ヒーターとした発熱体を座席内に装着、発熱させる事は勿論のこと、発熱体自体を保護カバーで覆い座席上部に装着する事で過酷な寒さから体温を取られる事なく屋外での作業、走行を楽にする等優れた効果を奏する。
【図面の簡単な説明】
【図１】二輪スクーターにプレート状ヒーターを埋め込んだ状態を示した斜視図である。
【図２】取り付け困難な特殊車両の座席にプレート状ヒーターを保護カバーで覆い置いた状態を示した斜視図である。
【符号の説明】
１　プレート状コードヒーター
２　保護カバー
３　リード線
【図１】
0003098846.tif 000003
【図２】
0003098846.tif 000004
(57)【要約】　　　（修正有）【課題】河川汚水などの浄化を図ることが出来る汚水浄化処理体を提供する。【解決手段】開閉自在な上蓋１０１を有してなる容箱本体１０２と、この容箱本体の底部に敷設される重し材１０４と、容箱本体の内部に詰装される木炭層などの汚水浄化材料１０５と、により構成される汚水浄化処理体１００。【選択図】　　図２
0003098844.tif 000002
【実用新案登録請求の範囲】
【請求項１】
開閉自在な上蓋を有してなる容箱本体と、この容箱本体の底部に敷設される重し材と、容箱本体の内部に詰装される木炭層などの汚水浄化材料と、により構成されることを特徴とする汚水浄化処理体。
【請求項２】
前記容箱本体は、亜鉛メッキ鉄線を二つ捻り以上、捻り合わせて六角形網目を形成する亀甲金網および／又は、耐蝕性、防錆性を有する各種金網、ステンレス製金網等によってつくられることを特徴とする前記請求項１記載の汚水浄化処理体。
【請求項３】
前記重し材は、ガレット、煉瓦、石、砂利などを用いることを特徴とする前記請求項１記載の汚水浄化処理体。
【考案の詳細な説明】
【０００１】
【考案の属する技術分野】
本考案は、例えば河川水などの浄化処理に用いて有利な汚水浄化処理体に関するものである。
【０００２】
【従来の技術】
都市化の進展に伴い、地域の河川は生活排水等によって汚濁が進み、そのため、河川水の浄化対策が急務とされている。
【０００３】
【考案が解決しようとする課題】
本考案は、上述のような要請に鑑みなされたもので、詳しくは、本考案の目的は、河川水の浄化、汚泥発生量の減量化、浄化設備費の低減化、設置および維持管理の容易化、簡易堅牢構造化等を可能にする汚水浄化処理体を提供するにある。
【０００４】
【課題を解決するための手段】
本考案は、開閉自在な上蓋を有してなる容箱本体と、この容箱本体の底部に敷設される重し材と、容箱本体の内部に詰装される木炭層などの汚水浄化用材料と、により構成されることを特徴とする（請求項１）。
【０００５】
上記請求項１記載の容箱本体は、亜鉛メッキ鉄線を二つ捻り以上、捻り合わせて六角形網目を形成する亀甲金網および／又は、耐蝕性、防錆性を有する各種金網、ステンレス製金網によってつくられることを特徴とする（請求項２）。
【０００６】
上記請求項１記載の重し材は、ガレット、煉瓦、石、砂利などを用いることを特徴とする（請求項３）。
【０００７】
【考案の実施の形態】
本考案に係る汚水浄化処理体は、河川（川底）の所要位置に定置して河川の汚水浄化処理等を達成するものである。
【０００８】
【実施例】
本考案の実施形態を図１乃至図３にもとずき説明する。
図１は、本考案に係る汚水浄化処理体の構造説明を示し、この処理体１００は、開閉自在な上蓋１０１を有する容箱本体１０２と、この容箱本体１０２の底部１０３に敷設される重し材１０４と、容箱本体１０２の内部に詰装される木炭層などの汚水浄化材料１０５と、により構成される。
【０００９】
前記容箱本体１０２は、亜鉛メッキ鉄線を二つ捻り以上、捻り合わせて六角形網目を形成する亀甲金網および／又は、耐蝕性および防錆性を有する各種金網、ステンレス製等の金網１０６によってつくられる。
【００１０】
前記重し材１０４は、ガレット、煉瓦、石、砂利などを用いたものである。
【００１１】
ガレットは、廃棄しようとするガラス瓶のリサイクルにより得られるガラス成形品のことである。
【００１２】
煉瓦は、例えば、下水汚泥を固化煉瓦状に形成したものを用いる。
【００１３】
汚水浄化材料１０５は、木炭以外に、活性炭、粉炭（袋詰）等を用いてもよい。
【００１４】
容箱本体１０２は、図示の方形体以外に、例えば、円形体、三角体など、適宜形体に構成したものを含む。
【００１５】
本考案に係る汚水浄化処理体１００は、図３に示すように、河川の川底１０７に設置し、そして、河川の流れに則して河川水（汚水）を浄化する機能を齎すものである。
即ち、河川水は、容箱本体１０２の多数網目１０８を介して容箱本体１０２内の汚水浄化材料（木炭層）１０５を通過する間に浄化される。
【００１６】
河川水（汚水）が汚水浄化材料１０５の木炭層で浄化される理由は、木炭自体がハニカム構造（多孔質）を形成しているためである。
【００１７】
前記の重し材１０４は、本考案の汚水浄化処理体１００を河川の川底１０７に設置した場合に安定を司るための手段である。
【００１８】
前記汚水浄化処理体１００の上蓋１０１を開蓋すると、容箱本体１０２内の汚水浄化処理材料（木炭層）１０５と、重し材１０４を取出すことが容易となり、また、汚水浄化処理材料１０５、重し材１０４を洗浄して再び、容箱本体１０２内にセットすることができる。
【００１９】
図示した本考案汚水浄化処理体１００は、単体のものを示したが、この単体を適宜連結手段（図示しない。）を用いて、縦横方向に連結させ、これを河川の川底１０７に設置すれば、汚水浄化処理体１００の設置スペースが拡大するから、河川汚水の浄化処理効率を向上させることが有利になる。
【００２０】
【考案の効果】
以上説明したように、本考案は、開閉自在な上蓋を有してなる容箱本体と、この容箱本体の底部に敷設される重し材と、容箱本体の内部に詰装される汚水浄化材料（木炭層）と、で構成したから、河川水の浄化と相俊って、汚泥発生量の減量化を図ることができる。
また、本考案は、例えば、ブロワーより取入れる空気を空気配管のノズル群を介して水中に散気し、水中に気泡を発生させ、水中に酸素を溶け込ませるようにした従来の所謂『ばっ気設備』に比し、簡単構造故に、河川浄化設備費の大幅低減を可能にし、しかも、設置およびメンテナンスの容易化が図られ、容箱本体と上蓋は耐蝕性、防錆性材料を使用しているため、堅牢構造であり、安価で取扱い容易な河川等の汚水浄化体として提供することができる。
また、従来のばっ気設備は電力を消費したが、本考案にあっては、汚水浄化に電力使用が必要としないから省エネによって適切な河川水浄化対策、汚泥発生の減量化対策を達成することができるという利便性がある。
また、重し材は、リサイクル形成品を活用するため経済的である。
しかも、本考案浄化処理体の複数連結によって、広水域での河川浄化が可能になり、このように、本考案は、簡単な手段で河川水の浄化保全を有効に達成できるという画期的効果を齎す考案である。
【図面の簡単な説明】
【図１】図１は、本考案の構造説明図である。
【図２】図２は、本考案の断面説明図である。
【図３】図３は、本考案の設置例説明図である。
【符号の説明】
１００　　　汚水浄化処理体
１０１　　　上蓋
１０２　　　容箱本体
１０３　　　底部
１０４　　　重し材
１０５　　　汚水浄化材料
１０６　　　金網
１０８　　　網目
【図１】
0003098844.tif 000003
【図２】
0003098844.tif 000004
【図３】
0003098844.tif 000005
(57)【要約】　　　（修正有）【課題】ガスコンロのバーナー火炎外周の廃熱を燃焼用空気として回収して熱効率を向上する。【解決手段】ガスコンロのバーナー火炎２外周の空気を燃焼用空気として取入れ、燃焼空気用案内羽根１で旋回し、廃熱で加熱された案内羽根１本体の熱で予熱昇温した後、バーナー火炎２に導き、未然ガスの燃焼を促進する。【選択図】　　図２
0003098847.tif 000002
【実用新案登録請求の範囲】
【請求項１】
円筒下部を切込み、内側に折曲げ燃焼用空気の案内羽根（１）とし、ガスコンロのバーナー火炎（２）外周の空気を取入れ、内部で旋回させながら廃熱により暖められた案内羽根（１）本体と接触させ、燃焼用空気を予熱昇温した後、バーナー火炎（２）に誘導し未然ガスの燃焼を促進して、バーナー火炎（２）外周の廃熱を回収することを特徴とするガスコンロバーナーの燃焼空気用案内羽根。
【考案の詳細な説明】
【０００１】
【考案の属する技術分野】
本案はガスコンロバーナーの燃焼効率を向上するための燃焼補助具として使用する燃焼空気用案内羽根である。
【０００２】
【従来の技術】
従来、吹付ける風からガスコンロのバーナー火炎（２）を防護して、燃焼効率を向上する燃焼補助具は考案されているが、ガスコンロのバーナー火炎（２）外周の空気を動力を使用せずに取入れ、案内羽根（１）で旋回し、予熱昇温の後、燃焼用空気として有効に使用し廃熱を回収する燃焼補助具はない。
【０００３】
【考案が解決しようとする課題】
従来、ガスコンロのバーナー火炎（２）外周の空気はバーナー火炎（２）と接触し一部は燃焼に使用されるが、ほとんどの空気はバーナー火炎（２）の熱で昇温後、奪った熱とともに大気中に放散され、廃熱として捨てている。
【０００４】
【課題を解決するための手段】
本案は、図１に示すように、案内羽根（１）本体は、金属等の耐熱性の材料を使用し、最大負荷時のバーナー火炎（２）外周に位置するように円筒外径を製作し、円筒の下部を切込み、片側裾を内側に折曲げた案内羽根（１）から構成される。図２に示すように、本案の案内羽根（１）はガスコンロの五徳（３）と受皿（４）間のバーナー火炎（２）外周に取付けて使用する。案内羽根（１）はガスコンロのバーナーの型式にあわせて安定して燃焼させるよう、バーナー点火時の負荷で、案内羽根（１）の形状を下記のように調整する。まず取り入れる燃焼用空気を適量に維持し。案内羽根（１）の内側で有効に旋回させバーナー火炎（２）の熱で暖められた案内羽根（１）本体と接触し予熱昇温させるため、バーナー火炎（２）の色と形を見ながら安定して燃焼するよう案内羽根（１）の切込み部の折曲げ開度を調整する。次に燃焼用空気が予熱賞温後ガスコンロのバーナー火炎（２）に接触して炎の色と形が安定して燃焼するよう案内羽根（１）先端の折曲げ角度を微調整する。その後、最小負荷で燃焼状態を点検し、吹き消し等の異常がなければ調整を終了する。
高負荷時に、案内羽根（１）の上縁部が廃熱により赤熱することがあるが、この状態で長時間使用し続けても下部は流入空気量が多く冷やされ、赤熱することはなく運転に支障はない。これは案内羽根（１）を暖めている廃熱が、流入する燃焼用空気によりバランスよく有効に回収されていることを示すものと考える。
【０００５】
【考案の実施の形態】
本案の器具を市販のガスコンロに取付けると、バーナー火炎（２）外周の廃熱を回収しガスの消費量を節減できる。
【０００６】
【実施例】
本案を実証するため、市販のコンロに本案の器具を取付け簡単な試験を行った。
【０００７】
【考案の効果】
前記の実証試験の結果、同量の水を２カップ（４００ｃｃ）沸騰するのに要する時間が、案内羽根（１）を有しない従来品に比べ本案の器具をコンロに取付けた場合は１１．６％（１３．５秒）の沸騰時間が短縮されることが実証された。これは燃料消費量て考えると年間消費量の１．３ヶ月分の燃料消費量の軽減に相当する。
本案により、案内羽根（１）でガスコンロのバーナー火炎（２）外周部から取入れた燃焼用空気は案内羽根（１）により旋回し予熱昇温され、ガスコンロのバーナー火炎（２）外周部の廃熱を回収した後バーナー火炎（２）に接触し未然ガスの燃焼を促進する。これにより、ガスコンロのバーナー火炎（２）外周部の廃熱が回収され、ガスコンロバーナーの燃焼効率（熱効率）が向上したものと考える。
【０００８】
【図面の簡単な説明】
【図１】は本案の斜視図
【図２】は本案の使用例を示す断面図
【符号の説明】（１）は案内羽根、（２）はバーナー火炎、（３）は五徳
（４）は受け皿
【図１】
0003098847.tif 000003
【図２】
0003098847.tif 000004
(57)【要約】　　　（修正有）【課題】ペット用トイレを、容易に携帯できるようにし、かつ快適に使用できるようにする。【解決手段】本体を撥水性の柔らかい素材とし、折りたため容易に携帯できるようにし、トイレの周辺部に尿止め用の壁２を立設し、更に内側にペット用トイレシーツを囲むように尿止め用の壁となる枠体１を立設し、排泄物のはみだしを極力防止し、排泄物の処理をしやすくする。【選択図】　　図１
0003098845.tif 000002
【実用新案登録請求の範囲】
【請求項１】
柔らかい素材から成る二層の平板の上層板の周辺部に尿止め用の壁を立設し、更に内側に四角いペット用トイレシーツを囲むように、四角形の開口部を設け、この開口部の周辺に尿止め用の壁となる枠体を立設して成ることを特徴とするペット用携帯トイレ。
【請求項２】
枠体は平行する２辺を二枚の板を骨組みとして、切れ目で折りたたみが出来るように形成し、その隙間及び他の二辺の枠体の空間部に綿を充填してあることを特徴とする請求項１記載のペット用携帯トイレ。
【請求項３】
内側の枠体の下部の上層板と下層板の間にペット用トイレシーツを挟みこむことが出来ることを特徴とする請求項１及び請求項２記載のペット用携帯トイレ。
【考案の詳細な説明】
【０００１】
［考案の属する技術分野］
この考案は、ペット用携帯トイレの形状に関する。
【０００２】
［従来の技術］
一般的に、犬用のトイレとしては、特開平０８−５６５２２のようなペット用トイレが主に利用されている。または携帯用としては一枚のビニールシートなどの上にペット用トイレシートを敷き使用するなどしている。
【０００３】
［考案が解決しようとする課題］
しかしながら、以上の従来技術によれば、特開平０８−５６５２２のようなものについては、他の家に訪問し滞在する場合などにおいて、大きさからして持ち運びするには容易ではなかった。また材質・形状からして、小さく折りたたむ事が出来ないので持ち運びするには不便であった。携帯用として一枚のビニールシートを利用する場合に於いては、折りたたみ小さくすることは出来ても、ビニールシートより排泄物がはみだす等し、周囲を汚す場合があった。
そこで、この考案は、折りたたみ、小さくすることが出来、広げて使用するときに、排泄物がはみだす事を極力防止するペット用携帯トイレを提供することを課題とする。
【０００４】
［課題を解決するための手段］
以上の課題を解決するために、請求項１の考案は、撥水性の柔らかい素材から成る二層の平板の上層板の周辺部に尿止め用の壁を立設し、更に内側に四角いペット用トイレシーツを囲むように、四角形の尿止め用の壁となる枠体を立設することにより、折りたたみ携帯できるとともに、排泄物を周囲にもらさないことを特徴とするペット用携帯トイレである。
また、請求項２の考案は、枠体の平行する二辺に二枚の板を骨組みとして、切れ目で折りたたみが出来るように形成し、その隙間及び他の二辺の枠体の空間部にわたを充填することにより安定した尿止めが出来、排泄物をもらすことを極力防止することを特徴とする請求項１記載のペット用携帯トイレである。
また請求項３の考案は、内側の枠体の下部の上層板と下層板の間の隙間を利用して、ペット用トイレシーツを挟みこむことが出来ることを特徴とする請求項１及び請求項２記載のペット用携帯トイレである。
【０００５】
［考案の実施の形態］
この考案の一実施形態を、図１に示す。
このペット用携帯トイレは撥水性の柔らかい素材から成る二層の平板で出来ており、上層板４にはその周辺部に尿止め用の壁２を設け更に内側に四角い開口部を設け、この開口部の周辺に尿止めの枠体１が立設されている。枠体１の平行する二辺には厚みをもたせて起立させ安定させるために、それぞれ２枚の板８・９が骨組みとして、切れ目で折りたたみが出来るように形成されており、その隙間及び他の二辺の枠体１の空間部にはわた１２が充填されている。尿止め用壁２は立体的な縁取りがされており、枠体１の外側に、してしまった排泄物が床などに漏れるのを防ぐ。枠体１の内側にペット用トイレシーツを敷き、上層板４と下層板３の間にペット用トイレシーツを挟み使用する。折りたたみ携帯する場合には、折りたたみ位置５より二つ折りにし折りたたみ位置６・７を内側に折り込み、手前よりくるくると巻いて小さくして持ち運ぶ。図２は、図１におけるＡＢ断面図である。下層部３は上層部４とペット用トイレシートを挟みこむ部分を除いて粘着されている。図３は枠体１の構造の説明図である。平行する二辺に二枚の板８・９を骨組みとして、切れ目で折りたたみが出来るように形成し、その隙間及び他の二辺の枠体１の空間部には、枠体１に厚みをもたせ安定させるために、わた１２が充填されている。
［考案の効果］
【０００６】
この実施形態によれば、折りたたみ式でコンパクトになるので持ち運びしやすい。
【０００７】
また、トイレシーツから排泄物がはみでても、その周囲に更にスペースがあるので床などを汚さない。
【０００８】
また、形状と材質により排泄物の処理がしやすい。
【０００９】
また、ペット用トイレシーツを上層板と下層板で挟みこむのでペット用トイレシーツがずれにくい。
【００１０】
また、携帯せずに、常用のペット用トイレとしても十分利用出来る。
以上、固有の効果を有する。
【図面の簡単な説明】
【図１】この考案の一実施形態を示す斜視図である。
【図２】図１におけるＡＢの断面図である。
【図３】枠体の実施例を示す構成図である。
【符号の説明】
１　　枠体（尿止め）
２　　尿止め用壁
３　　ペット用トイレ下層板
４　　ペット用トイレ上層板
５　　折りたたみ位置
６　　折りたたみ位置
７　　折りたたみ位置
８　　板
９　　板
１０　板
１１　板
１２　わた
【図１】
0003098845.tif 000003
【図２】
0003098845.tif 000004
【図３】
0003098845.tif 000005
(57)【要約】【課題】赤ん坊が哺乳瓶を一人で上手に持って飲むことは難しい。しかし、現代の忙しい母親たちの増加に伴い授乳にさける時間が少なくなっている。このような状況を改善しようと、ゴム付きドーナツ型哺乳瓶保持具を提供する。【解決手段】ドーナツ型哺乳瓶保持具（１）に，ゴム（２）をつけることにより，ぬいぐるみや丸めたタオルにこの保持具をしっかり固定でき、赤ん坊が一人で哺乳瓶をもってミルクが飲めることを特徴とする。【選択図】　　　　　　図１
0003098843.tif 000002
【実用新案登録請求の範囲】
【請求項１】
ドーナツ型哺乳瓶保持具（１）にゴム（２）をつけたもの。
【考案の詳細な説明】
【０００１】
【考案の属する技術分野】
本考案は，ドーナツ型哺乳瓶保持具（１）にゴム（２）をつけたものである。
【０００２】
【従来の技術】
従来のドーナツ型哺乳瓶保持具には、ゴムがついていない。
【０００３】
【考案が解決しようとする課題】
これは次のような欠点があった。
【０００４】
ドーナツ型哺乳瓶保持具をしっかり持つことができない月齢の赤ん坊が、寝ながらミルクを飲むときよく哺乳瓶がずれ落ちることがあった。
【０００５】
ドーナツ型哺乳瓶保持具をしっかり固定させられなかった。
【０００６】
本考案は，これらの欠点を除くためになされたものである。
【０００７】
【課題を解決するための手段】
請求項１に関しては，ドーナツ型哺乳瓶保持具（１）にゴム（２）をつける。
【０００８】
本考案は，上述のような，ドーナツ型哺乳瓶保持具にゴムをつけたものである。
【０００９】
【考案の実施の形態】
以下，本考案の実施の形態について説明する。
【００１０】
請求項１に関しては，ドーナツ型哺乳瓶保持具（１）に，ゴム（２）をつける。
【００１１】
【考案の効果】
本考案は，上述のとおり構成されているので，次に記載する効果を奏する。
【００１２】
ドーナツ型哺乳瓶保持具にゴムをつけることにより、そのゴムでぬいぐるみや丸めたタオルに引っ掛けることができしっかりと哺乳瓶を固定することができる。
【００１３】
哺乳瓶を、ドーナツ型哺乳瓶保持具の輪の部分に差込み、それ全体をゴムでぬいぐるみに固定すると、赤ん坊を横向きに寝かせた状態で哺乳瓶の乳首を吸わせることができ、赤ん坊がひとりでミルクを飲むことができる。
【００１４】
病院での新生児室において、看護士が多くの赤ん坊に同時にミルクを与えなければならない時に、このゴム付きドーナツ型哺乳瓶保持具を使用すると迅速かつ正確にそして安全にミルクを与えることができる。
【図面の簡単な説明】
【図１】本考案のドーナツ型哺乳瓶保持具（１）にゴム（２）をつけたものの平面図である。
【符号の説明】
１　ドーナツ型哺乳瓶保持具
２　ゴム
【図１】
0003098843.tif 000003
(57)【要約】【課題】消火筒の目詰まりを防止しながら、タバコの確実な消火機能を実現する。【解決手段】タバコを挿入可能な筒状の消火筒３を灰皿容器１内に垂設した灰皿において、消火筒の内壁の対向位置に長手方向を筒の全長方向に一致させた一対の突条４、４を突設する。【選択図】　　　図１
0003098820.tif 000002
【実用新案登録請求の範囲】
【請求項１】
タバコを挿入可能な筒状の消火筒を灰皿容器内に垂設した灰皿において、消火筒の内壁の対向位置に長手方向を筒の全長方向に一致させた一対の突条を突設したことを特徴とする灰皿。
【請求項２】
消火筒は灰皿に対して垂直方向に垂設されると共に、突条の長さは３ｍｍから１５ｍｍの範囲内に設定され、その上端は上方に向かって幅狭となる形状に設定された請求項１記載の灰皿。
【考案の詳細な説明】
この考案は自動車内で使用するための携帯用の灰皿に関し、特にタバコの消火機能を備えた灰皿に関する。
【０００１】
【従来の技術】
車室内に備え付けの灰皿とは別に、自動車内に持ち込んで使用するための携帯用の灰皿が普及している。この種の灰皿は設置場所が固定されている備え付けの灰皿と異なり、自由な場所に置けることと、容量を大きくできることから、特に備え付けの灰皿を汚すことを嫌う需要者に好まれおり、本体容器とこれに被蓋される蓋体からなる基本構成を有する。
【０００２】
一方、通常の居室で使用する灰皿と異なり、振動や加速度が生じる自動車内で使用され、しかも自動車に備えつけの灰皿とのように固定されていないので、転倒などの可能性がある前記の灰皿においては、不測の事故を防止するために火の着いたタバコを消火する機能を備えることが求められた。そのため、従来、灰皿上面から灰皿容器内に筒状の消火筒を垂設し、ここにタバコを挿入することにより酸欠状態を生じさせて消火することが行われていた。そして、この場合、タバコの灰は消火筒から灰皿容器内に落下した。
【０００３】
【考案が解決しようとする課題】
前記の場合、消火筒内に挿入されたタバコの先端が消火筒下端を超えると酸欠状態が解消されて消火できなくなるので、従来、図７に示すように消火筒Ｐの下方にタバコＴのそれ以上の通過を阻止する縮径部Ｎを設けることが公知であった。
【０００４】
しかしながら、上記の従来技術においては繰り返し消火を行ううちに、タバコから落下する灰が徐々に縮径部に堆積して、遂には消火筒の目詰まりを引き起し、灰が灰皿容器内に落下できなくなる問題が生じた。
【０００５】
【課題を解決するための手段】
この考案は以上の従来技術の問題点を解消することを目的として創作されたものであり、タバコを挿入可能な筒状の消火筒を灰皿容器内に垂設した灰皿において、消火筒の内壁の対向位置に長手方向を筒の全長方向に一致させた一対の突条を突設したことを特徴とする。
【０００６】
【考案の実施の形態】
以下、この考案の具体的実施例を添付図面に基づいて説明する。図１はこの考案の灰皿の全体を示す図である。この実施例においては灰皿は容器状の灰皿容器１と、これを被蓋する蓋体１０からなり、蓋体１０は灰皿容器１に対して揺動自在に設けられる。尚、図中符号６は蓋体の係止を行う操作部材、１１は夜間に発光する蓋体の底板である。
【０００７】
灰皿容器１の上面には開口の一部を残して天井板２が設けられ、この天井板から筒状の消火筒３が１乃至複数本（この実施例では２本）垂設される。この消火筒３はタバコＴを挿入可能な内径を有し、この実施例では灰皿に対して垂直方向に垂設される。
【０００８】
一方、消火筒３の内壁の中途の対向位置には長手方向を筒の全長方向に一致させた一対の突条４、４が突設される。これらの突条は図５に示すようにタバコＴのそれ以上の進入を阻止するためのものであるが、力のいれ具合によってはこれらを乗り越えてタバコが更に進入して消火筒を突き抜けてしまうおそれがあるので、この考案においては突条にある程度の長さを持たせることによりタバコの乗り越えを防止している。具体的には突条の長さは３ｍｍから１５ｍｍの範囲内であることが望ましい。又、この実施例においては突条の上端は上方に向かって幅狭となる形状としている（図２及び図５参照）。上記の形状としては、この実施例のような半円型の他、三角形、台形等が想定できる。
【０００９】
【考案の効果】
以上の構成よりなるこの考案の灰皿によれば、消火筒に挿入されたタバコは一対の突条により一定限度以上の進入が防止されて確実な消火が実現される。そして、この場合、突条は長手方向を筒の全長方向に一致させたものが対向位置に一対配されるので、タバコの乗り越えは確実に阻止できる。即ち、図６に示すようにタバコＴの先端は突条を乗り越えようとして凹陥状に変形Ｔ３するが、タバコは外周は紙巻き部Ｔ２により被覆されているので、紙巻き部Ｔ２は変形により矢印方向に引っ張られ、この場合、変形は一対の突条により対向位置に生じるので、紙巻き部Ｔ２は互いに反対方向に引っ張られることになり変形を阻止しようとする力が生じて乗り越えが困難になる。この場合、突条が単なる突起程度の場合は、上記の力により紙巻き部Ｔ２が破れてしまって、タバコの進入を許す結果となるが、実施例のように突条にある程度の長さを持たせることにより、力が一点に集中することがなくなるので、破れることが防止される。
【００１０】
一方、突条自体は長手方向を筒の全長方向に一致させているので、従来技術のように縮径部とした場合と異なり、消火筒の直径方向の面積を減少させる率は少なく、灰の落下を阻止することはないのでく、灰は突条に堆積することなく目詰まりが防止される。又、この場合、実施例のように消火筒を灰皿に対して垂直方向に垂設する共に、突条の上端を上方に向かって幅狭となる形状に設定することにより、突条に対して灰がより滑り落ちやすくなる効果が期待できる。
【図面の簡単な説明】
【図１】この考案の灰皿の斜視図。
【図２】同上、要部の斜視図。
【図３】同上、要部の断面図。
【図４】同上、要部の断面図。
【図５】同上、要部の使用状態の断面図。
【図６】この考案の灰皿によるタバコの変形状態を示す、タバコを底面方向から観察した斜視図。
【図７】従来技術の灰皿の要部の使用状態の断面図。
【符号の説明】
１　　　　灰皿容器
３　　　　消火筒
４　　　　突条
【図１】
0003098820.tif 000003
【図２】
0003098820.tif 000004
【図３】
0003098820.tif 000005
【図４】
0003098820.tif 000006
【図５】
0003098820.tif 000007
【図６】
0003098820.tif 000008
【図７】
0003098820.tif 000009
(57)【要約】【課題】本考案はマスク使用中に、鼻、顎、頬の隙間から花粉、塵を吸い込まない様に、マスク用パットで防止する。【解決手段】本考案は不織布及び発泡体をプレス加工、もしくはモールド成型で加工されたマスク用パット１を不織布、ガーゼマスク２に装着、使用することで花粉、塵を防止することが出来る。また、マスク用パット１とマスク２の間にフィルター素材４を入れることで高性能マスクが出来る。なお、マスク用パット１の顔面に当たる面には肌当りを良くするために不織布、布、紙５を接着している。【選択図】図１
0003098811.tif 000002
【実用新案登録請求の範囲】
【請求項１】
不織布、発泡体等の弾性体からなり、口と鼻を囲むリング状体であることを特徴とするマスク用パット。
【請求項２】
プレス加工もしくは、モールド成形加工され、マスクに装着可能であることを特徴とする請求項１記載のマスク用パット。
【請求項３】
請求項１又は請求項２記載のマスク用パットが装着されていることを特徴とするマスク。
【考案の詳細な説明】
【０００１】
本考案は、不織布、発泡体をプレス加工、もしくはモールド成型で加工した、リング状体からなるマスク用パット及びマスクに関するものである。
【０００２】
【従来技術】
従来のマスクは、ガーゼ、不織布等からなるものであるが、顔面と密着しない箇所、つまり、鼻、顎、頬の隙間から花粉、塵を吸いこんでいる。従来技術のマスク用パットとしては、特許文献１に記載された技術があるが、この技術はパットに抗菌剤を練り込み、又、筋金をいれたものであるため、製造に工数を要し高価となるという問題があった。
【０００３】
【特許文献１】登録実用新案第２００６５０４号
【０００４】
【考案が解決しようとする課題】
従って、本発明の課題は、不織布、発泡体をプレス加工、もしくはモールド成型で加工した、リング状のパットをマスクに装着することで、顔面に密着させるべく自然変形し、花粉、塵などを吸い込まないことが可能になり安価で快適な装着感を持つマスク用パット及びマスクを提供することにある。
【０００５】
【課題を解決するための手段】
上記課題を達成するために以下の手段を講じた。即ち、請求項１記載のマスク用パットは、不織布、発泡体等の弾性体からなり、口と鼻を囲むリング状体であることを特徴とする。
請求項２記載のマスク用パットは、請求項１記載のマスク用パットにおいて、プレス加工もしくは、モールド成形加工され、マスクに装着可能であることを特徴とする。
請求項３記載のパットは、請求項１又は請求項２記載のマスク用パットが装着されていることを特徴とする。
【０００６】
【考案の実施の形態】
以下、本考案の実施の形態について図面を参照しながら説明する。図１は本考案のマスク用パットの装着例を表す正面図、図２は図１のマスク用パットの斜視図、図３は別例１のマスク用パットの装着例を表す正面図、図４は別例１のマスク用パットの斜視図、図５は別例２のマスク用パットの装着例を表す正面図、図６は別例２のマスク用パットの斜視図である。
【０００７】
【実施例】
本実施形態に係る使用時におけるマスクは、図１に示すように、掛止部３を有するマスク本体２と弾力性のある適宜素材にてプレス加工、又はモールド成型したマスク用パット１とからなる。
【０００８】
具体的には、マスク用パット１は厚みを５〜１０ｍｍとし、直径１０ｃｍ程度（大人用と子供用とはサイズが異なる。）のリング状とし、素材として、低反発ホームとして、カテキンホーム（商品名：東洋ゴム工業株式会社製）等を用いて不織布、ガーゼマスク等に粘着テープ等で装着が可能とする。上記マスク用パット１の断面形状は、長方形状、円形等種々選択できるが、顔面に当たる面が顔に馴染みやすい形状がよい。また、マスク用パット１の顔面に当たる面には肌当りを良くするために不織布、布、紙５を接着しておいても良い。
【０００９】
図３〜図６に示した別例は、マスク用パットの形状のみを変えたものである。またマスク２とマスク用パット１の間にフィルター素材４をいれることでより高性能マスクとすることもできる。なお、本考案は、マスク用パッドであるが、マスクに装着状態のマスク用パッドをも含むものである。
【００１０】
【考案の効果】
上述のように、本考案のマスク用パットは、マスクにマスク用パットを装着・使用することで、パットに圧力が加わり変形することでマスク及び顔面に密着する。このため、鼻、顎、頬の隙間からの花粉、塵を吸い込みを防ぐことが出来る。また、マスク用パットを使用することで、ただ単にマスクをするよりも鼻及び口を圧迫しないため息苦しさも無くなる。本考案におけるマスク用パットは市販されているマスクに簡易に取付けることができ、安価に衛生的に優れた商品を提供できる。
【図面の簡単な説明】
【図１】本考案のマスク用パット、フィルターの装着例を表す正面図。
【図２】図１のマスク用パットの斜視図。
【図３】別例１のマスク用パット、フィルターの装着例を表す正面図。
【図４】別例１のマスク用パットの表す斜視図。
【図５】別例２のマスク用パット、フィルターの装着例を表す正面図。
【図６】別例２のマスク用パットの斜視図。
【符号の説明】
１・・マスク用パット　　２・・不織布及びガーゼマスク
３・・掛止部　　　４・・フィルター　　５・・不織布、布、紙
【図１】
0003098811.tif 000003
【図２】
0003098811.tif 000004
【図３】
0003098811.tif 000005
【図４】
0003098811.tif 000006
【図５】
0003098811.tif 000007
【図６】
0003098811.tif 000008
(57)【要約】【課題】ペットボトルの飲み口が上を向いており、直接飲み口から飲み物を飲むには飲みにくい。【解決手段】ペットボトルの飲み口を傾けることによって直接飲み口から飲む場合に飲みやすくした。【選択図】図１
0003098813.tif 000002
【実用新案登録請求の範囲】
【請求項１】
ペットボトルののみ口を、根元から斜めに傾けることによってペットボトルから直接飲み物を飲むときに口をつき出して飲まなくてすむように飲みやすくしたペットボトル。
【考案の詳細な説明】
【０００１】
【考案の属する技術分野】ペットボトルののみ口を根元から斜めに傾ける。
【０００２】
【従来の技術】ペットボトルののみ口がまっすぐ上を向いているため、ペットボトルから直接のみものを飲むときに口を突き出すような形で飲まなくてはならず、飲みにくく、飲み物をこぼしてしまうことも多かったかった。
【０００３】
【考案が解決しようとする課題】ペットボトルから直接飲み物を飲むときに、飲み物が飲みにくく、こぼしてしまうことがある。
【０００４】
【課題を解決するための手段】ペットボトルの飲み口の根元を斜めに傾けることによってペットボトルから直接飲むときに、飲み物をこぼしにくくする。
【０００５】
【考案の実施の形態】飲み口の根元が斜めに傾いている。
【０００６】
【実施例】５００ミリリットル入りのペットボトル
【０００７】
【考案の効果】ペットボトルから直接飲みものを飲むときに飲みやすくこぼしにくくなる。
【図面の簡単な説明】
【図１】本考案品の断面図である。
【図２】従来の飲み口の断面図である。
【符号の説明】
１根元を斜めに傾ける
２まっすぐ上を向いている
【図１】
0003098813.tif 000003
【図２】
0003098813.tif 000004